(57)【要約】【課題】誤操作が発生する可能性を低減し、ユーザによる操作の簡易化、及び入力操作についての移動量の算出の簡略化を実現する。【解決手段】電子機器（１）は、表示部（１０）と、制御部（４０）と、接触センサ（２０）と、を備え、制御部（４０）は、接触センサ（２０）に対する入力操作について、予め設定された所定の操作方向と対応付けて認識する認識処理と、操作方向における入力操作についての移動量が所定閾値以上であるか否かを判定する判定処理と、移動量が所定閾値以上であれば、表示部（１０）の表示領域上に入力操作を反映する反映処理と、を行う。【選択図】図１
2020086603.tif 000002
【特許請求の範囲】
【請求項１】
画像を表示する少なくとも１つの表示部と、少なくとも１つの制御部と、上記表示部の近傍に設けられ、ユーザによる入力操作を検知する少なくとも１つの接触センサと、を備える電子機器であって、
上記制御部は、
上記接触センサに対する上記入力操作について、予め設定された所定の操作方向と対応付けて認識する認識処理と、
上記操作方向における上記入力操作についての移動量が所定閾値以上であるか否かを判定する判定処理と、
上記移動量が上記所定閾値以上であれば、上記表示部の表示領域上に上記入力操作を反映する反映処理と、を行うことを特徴とする電子機器。
【請求項２】
上記制御部は、上記接触センサに対して特定の入力操作が行われることにより、上記反映処理を禁止する禁止モードから上記反映処理を許容する操作モードに移行することを特徴とする請求項１に記載の電子機器。
【請求項３】
上記制御部は、上記接触センサに対する入力操作について上記所定の操作方向と対応付けて認識することにより、上記操作方向に基づいて上記表示領域に表示される複数の選択可能データについて選択状態となる対象を変更する処理を上記反映処理として行うことを特徴とする請求項１または２に記載の電子機器。
【請求項４】
上記制御部は、上記接触センサがタップされた場合に、上記表示領域に表示される複数の選択可能データのうち選択状態となっている選択可能データに対応する処理を実行する実行処理をさらに行うことを特徴とする請求項１から３のいずれか１項に記載の電子機器。
【請求項５】
上記接触センサは、指の指紋を検知する指紋センサであることを特徴とする請求項１から４のいずれか１項に記載の電子機器。
【請求項６】
画像を表示する少なくとも１つの表示部と、上記表示部の近傍に設けられ、ユーザによる入力操作を検知する少なくとも１つの接触センサと、を備える電子機器を制御する制御装置であって、
上記接触センサに対する上記入力操作について、予め設定された所定の操作方向と対応付けて認識する認識処理部と、
上記操作方向における上記入力操作についての移動量が所定閾値以上であるか否かを判定する判定処理部と、
上記移動量が上記所定閾値以上であれば、上記表示部の表示領域上に上記入力操作を反映する反映処理部と、を備えることを特徴とする制御装置。
【請求項７】
画像を表示する少なくとも１つの表示部と、少なくとも１つの制御部と、上記表示部の近傍に設けられ、ユーザによる入力操作を検知する少なくとも１つの接触センサと、を備える電子機器を制御する電子機器の制御方法であって、
上記接触センサに対する上記入力操作について、予め設定された所定の操作方向と対応付けて認識する認識工程と、
上記操作方向における上記入力操作についての移動量が所定閾値以上であるか否かを判定する判定工程と、
上記移動量が上記所定閾値以上であれば、上記表示部の表示領域上に上記入力操作を反映する反映工程と、を含むことを特徴とする電子機器の制御方法。
【請求項８】
請求項１に記載の電子機器としてコンピュータを機能させるための制御プログラムであって、上記制御部としてコンピュータを機能させるための制御プログラム。
【発明の詳細な説明】
【技術分野】
【０００１】
本発明は、電子機器、制御装置、電子機器の制御方法、及び制御プログラムに関する。
【背景技術】
【０００２】
電子機器においては、表示画面の大型化が図られており、表示画面の大型化に伴って電子機器自体も大型化している。さらに、電子機器は、片手で操作される場合があり、片手で容易に操作が可能な電子機器が求められている。特許文献１に開示されている技術では、指紋画像解析装置を用いて表示画面上のマウスポインタの移動を可能とする入力装置を提供する。
【先行技術文献】
【特許文献】
【０００３】
【特許文献１】特開２００３−２４８８３０号公報（２００３年９月５日公開）
【発明の概要】
【発明が解決しようとする課題】
【０００４】
特許文献１に開示されている技術では、例えば、入力装置に含まれるセンサによってユーザの親指が接触したことが検知されるとき、親指は他の指に比べて押圧する部分の面積が大きい。このため、上記技術では、ユーザが意図しない動作が誘発される可能性があるという問題がある。例えば、親指をセンサから離す際に、センサが微細な移動量を検出することにより、マウスポインタが目的の領域からずれる可能性がある。本発明の一態様は、誤操作が発生する可能性を低減し、ユーザによる操作の簡易化、及び入力操作についての移動量の算出の簡略化を実現することを目的とする。
【課題を解決するための手段】
【０００５】
上記の課題を解決するために、本発明の一態様に係る電子機器は、画像を表示する少なくとも１つの表示部と、少なくとも１つの制御部と、上記表示部の近傍に設けられ、ユーザによる入力操作を検知する少なくとも１つの接触センサと、を備える電子機器であって、上記制御部は、上記接触センサに対する上記入力操作について、予め設定された所定の操作方向と対応付けて認識する認識処理と、上記操作方向における上記入力操作についての移動量が所定閾値以上であるか否かを判定する判定処理と、上記移動量が上記所定閾値以上であれば、上記表示部の表示領域上に上記入力操作を反映する反映処理と、を行う。
【０００６】
また、本発明の一様態に係る制御装置は、画像を表示する少なくとも１つの表示部と、上記表示部の近傍に設けられ、ユーザによる入力操作を検知する少なくとも１つの接触センサと、を備える電子機器を制御する制御装置であって、上記接触センサに対する上記入力操作について、予め設定された所定の操作方向と対応付けて認識する認識処理部と、上記操作方向における上記入力操作についての移動量が所定閾値以上であるか否かを判定する判定処理部と、上記移動量が上記所定閾値以上であれば、上記表示部の表示領域上に上記入力操作を反映する反映処理部と、を備える。
【０００７】
さらに、本発明の一様態に係る電子機器の制御方法は、画像を表示する少なくとも１つの表示部と、少なくとも１つの制御部と、上記表示部の近傍に設けられ、ユーザによる入力操作を検知する少なくとも１つの接触センサと、を備える電子機器を制御する電子機器の制御方法であって、上記接触センサに対する上記入力操作について、予め設定された所定の操作方向と対応付けて認識する認識工程と、上記操作方向における上記入力操作についての移動量が所定閾値以上であるか否かを判定する判定工程と、上記移動量が上記所定閾値以上であれば、上記表示部の表示領域上に上記入力操作を反映する反映工程と、を含む。
【発明の効果】
【０００８】
本発明の一態様によれば、誤操作が発生する可能性を低減し、ユーザによる操作の簡易化、及び入力操作についての移動量の算出の簡略化を実現することができる。
【図面の簡単な説明】
【０００９】
【図１】本発明の実施形態１に係る電子機器の構成を示すブロック図である。
【図２】（ａ）は図１に示す電子機器が備える表示部の表示の一例を示す模式図であり、（ｂ）は（ａ）に示す表示から選択状態となる対象が変更された場合を示す模式図である。
【図３】図１に示す電子機器の処理の流れを示すフローチャートである。
【図４】本発明の実施形態２に係る電子機器の構成を示すブロック図である。
【図５】図４に示す電子機器が備える表示部の表示の一例を示す模式図である。
【図６】図４に示す電子機器の処理の流れを示すフローチャートである。
【発明を実施するための形態】
【００１０】
〔実施形態１〕
以下、本発明の実施形態１について、図１〜図３を用いて説明する。図１は、本発明の実施形態１に係る電子機器１の構成を示すブロック図である。図２の（ａ）は、図１に示す電子機器１が備える表示部１０の表示の一例を示す模式図であり、図２の（ｂ）は、図２の（ａ）に示す表示から選択状態となる対象が変更された場合を示す模式図である。図３は、図１に示す電子機器１の処理の流れを示すフローチャートである。
【００１１】
（電子機器１の構成）
電子機器１は、図１に示すように、表示部１０、接触センサ２０、記憶部３０、及び制御部４０を備えている。電子機器１は、例えば、スマートフォンまたはタブレット端末等の携帯情報端末であってもよい。表示部１０、接触センサ２０、記憶部３０、及び制御部４０はそれぞれ、単数であってもよいし、複数であってもよい。なお、図２において、左右方向は電子機器１の短手方向であり、上下方向は電子機器１の長手方向であるものとする。
【００１２】
表示部１０は、表示領域１２に画像を表示し、図２の（ａ）に示すように、外縁を周縁領域１１に囲まれている。表示部１０は、例えば、液晶ディスプレイであってもよい。表示部１０は、制御部４０と接続されている。表示領域１２の下部の領域Ｄ１には、表示領域１２に表示される内容に対しての操作が可能なボタン等が表示される。
【００１３】
接触センサ２０は、表示部１０の近傍に設けられ、ユーザによる入力操作を検知する。接触センサ２０は、周縁領域１１に設けられ、表示部１０の下方に設けられている。なお、接触センサ２０は、周縁領域１１に設けられていれば、表示部１０の左方、右方、または上方に設けられていてもよい。接触センサ２０は、制御部４０と接続されている。
【００１４】
接触センサ２０は、タッチされた指の指紋を検出する指紋センサであることが好ましい。これにより、指の指紋を検知することによりユーザによる入力操作を検知することができる。なお、接触センサ２０は、指紋センサに限定されるものではなく、例えば、感圧センサ、照度センサ等であってもよい。記憶部３０は、制御部４０が実行する各種のプログラム、及びプログラムによって使用されるデータを記憶する。記憶部３０は、制御部４０と接続されている。
【００１５】
制御部４０は、認識処理部４１０、移動量算出部４２０、判定処理部４３０、反映処理部４４０、及び実行処理部４５０を備えている。制御部４０は、電子機器１が備える各構成の制御を行う。つまり、制御部４０は、電子機器１を制御する制御装置として機能する。制御部４０は、表示部１０、接触センサ２０、及び記憶部３０と接続されている。
【００１６】
認識処理部４１０は、接触センサ２０に対する入力操作について、予め設定された所定の操作方向と対応付けて認識する認識処理を行う。移動量算出部４２０は、認識処理部４１０によって対応付けられた操作方向における入力操作についての移動量を算出する算出処理を行う。判定処理部４３０は、移動量算出部４２０によって算出された移動量が所定閾値以上であるか否かを判定する判定処理を行う。
【００１７】
反映処理部４４０は、移動量算出部４２０によって算出された移動量が上記所定閾値以上であれば、表示部１０の表示領域１２上に上記入力操作を反映する反映処理を行う。実行処理部４５０は、接触センサ２０がタップされた場合に、表示領域１２に表示される複数のアイコンＩ１のうち選択状態となっているアイコンＩ１に対応する処理を実行する実行処理を行う。
【００１８】
実行処理部４５０による実行処理が行われる条件としては、接触センサ２０がタップされることに限らない。例えば、接触センサ２０がダブルタップされること、接触センサ２０が長押しされること等の接触センサ２０に対しての他の入力操作で上記実行処理が行われてもよい。アイコンＩ１は、ユーザによって選択が可能である選択可能データである。当該選択可能データとしては、アイコンＩ１に代えて画像、ＵＲＬ（Uniform Resource Locator）、電話番号等であってもよいが、ユーザによって選択が可能であるデータであれば特に限定されない。
【００１９】
（電子機器１の処理の流れ）
電子機器１の処理の流れ、つまり、電子機器１を制御する電子機器１の制御方法について、図２及び図３を用いて説明する。図３に示すように、まず、電子機器１は、接触センサ２０がユーザによる入力操作を検知したか否かを判断する（Ｓ１０）。具体的には、接触センサ２０がユーザによる入力操作を検知すると、接触センサ２０は、検知した入力操作の情報を制御部４０に供給する。
【００２０】
入力操作の情報が制御部４０に供給されると、認識処理部４１０は、入力操作の情報を受け取る。認識処理部４１０が入力操作の情報を受け取ることにより、電子機器１は、接触センサ２０がユーザによる入力操作を検知したものと判断する。接触センサ２０によって検知された入力操作の情報は、認識処理部４１０によって記憶部３０に記憶される。電子機器１が、接触センサ２０がユーザによる入力操作を検知していないものと判断している場合（Ｓ１０にてＮＯの場合）、接触センサ２０は、ユーザによって入力操作が行われるまで、入力操作の情報を制御部４０に供給する処理を行わない。
【００２１】
電子機器１が、接触センサ２０がユーザによる入力操作を検知したものと判断した場合（Ｓ１０にてＹＥＳの場合）、認識処理部４１０は、接触センサ２０に対する入力操作について、予め設定された所定の操作方向と対応付けて認識する認識処理を行う（Ｓ１１：認識工程）。具体的には、認識処理部４１０は、接触センサ２０によって検知された入力操作の情報を記憶部３０から参照する。認識処理部４１０は、記憶部３０に予め記憶された複数の操作方向のうち、接触センサ２０に対する入力操作の方向に最も近い操作方向を選択する。認識処理部４１０は、選択した操作方向の情報を記憶部３０に記憶する。
【００２２】
記憶部３０に予め記憶された複数の操作方向は、例えば、接触センサ２０に対する入力操作に関して予め設定された方向であり、上方向、下方向、左方向、右方向、左上方向、右上方向、左下方向、及び右下方向の８方向であってもよい。記憶部３０に予め記憶された複数の操作方向を８方向に限定することにより、ユーザによる操作を簡易化することができ、後述する移動量算出部４２０による移動量の算出を簡略化することができる。
【００２３】
移動量算出部４２０は、接触センサ２０によって検知された入力操作の情報、及び認識処理部４１０によって対応付けられた操作方向の情報を記憶部３０から参照する。これにより、移動量算出部４２０は、認識処理部４１０によって対応付けられた操作方向における入力操作についての移動量を算出する算出処理を行う。移動量算出部４２０は、算出した移動量の情報を記憶部３０に記憶する。
【００２４】
判定処理部４３０は、移動量算出部４２０によって算出された移動量の情報を記憶部３０から参照し、上記移動量が所定閾値以上であるか否かを判定する判定処理を行う（Ｓ１２：判定工程）。判定処理部４３０が、上記移動量が所定閾値以上であると判定した場合（Ｓ１２にてＹＥＳの場合）、表示部１０の表示領域１２上に接触センサ２０に対する入力操作を反映する反映処理を行う（反映工程）。判定処理部４３０が、上記移動量が所定閾値未満であると判定した場合（Ｓ１２にてＮＯの場合）、電子機器１の処理は、Ｓ１０の処理に戻る。
【００２５】
ここで、図２の（ａ）に示すように、例えば、表示部１０の表示領域１２に１２個のアイコンＩ１が表示され、表示領域１２に表示された複数のアイコンＩ１のうち最も左上のアイコンＩ１が選択状態となっている場合を考える。この場合において、例えば、認識処理部４１０によって対応付けられた操作方向が右方向であるとき、反映処理部４４０は、接触センサ２０に対する入力操作を反映して、図２の（ａ）に示す表示から図２の（ｂ）に示す表示に変更する。
【００２６】
具体的には、反映処理部４４０は、認識処理部４１０によって対応付けられた操作方向の情報として右方向の情報を記憶部３０から参照する。反映処理部４４０は、右方向の情報に基づいて選択状態となる対象を最も左上のアイコンＩ１から右隣りのアイコンＩ１に変更する。このとき、表示領域１２に表示された複数のアイコンＩ１のうち最も左上のアイコンＩ１の右隣りのアイコンＩ１が選択状態となる。
【００２７】
つまり、反映処理部４４０は、認識処理部４１０によって対応付けられた操作方向に基づいて表示領域１２に表示される複数のアイコンＩ１について選択状態となる対象を変更する（Ｓ１３）。なお、図２の（ａ）及び（ｂ）に示す選択表示Ｒ１は、アイコンＩ１が選択状態になっていることを示す表示である。
【００２８】
よって、認識処理部４１０が接触センサ２０に対する入力操作について上記所定の操作方向と対応付けて認識することにより、反映処理部４４０は、上記操作方向に基づいて表示領域１２に表示される複数のアイコンＩ１について選択状態となる対象を変更する処理を上記反映処理として行う。これにより、ユーザは、接触センサ２０に対する入力操作によって表示部１０の表示領域１２に表示される複数のアイコンＩ１について選択状態となる対象を変更する操作を行うことができる。
【００２９】
次に、電子機器１は、接触センサ２０がユーザによるタップの操作を検知したか否かを判断する（Ｓ１４）。具体的には、接触センサ２０がユーザによるタップの操作を検知すると、接触センサ２０は、検知したタップの操作の情報を制御部４０に供給する。タップの操作の情報が制御部４０に供給されると、実行処理部４５０は、タップの操作の情報を受け取る。
【００３０】
実行処理部４５０がタップの操作の情報を受け取ることにより、電子機器１は、接触センサ２０がユーザによるタップの操作を検知したものと判断する。接触センサ２０によって検知されたタップの操作の情報は、実行処理部４５０によって記憶部３０に記憶される。電子機器１が、接触センサ２０がユーザによるタップの操作を検知していないものと判断している場合（Ｓ１４にてＮＯの場合）、接触センサ２０は、ユーザによってタップの操作が行われるまで、タップの操作の情報を制御部４０に供給する処理を行わない。
【００３１】
電子機器１が、接触センサ２０がユーザによるタップの操作を検知したものと判断した場合（Ｓ１４にてＹＥＳの場合）、実行処理部４５０は、表示領域１２に表示される複数のアイコンＩ１のうち選択状態となっているアイコンＩ１に対応する処理を実行する実行処理を行う（Ｓ１５）。これにより、ユーザは、接触センサ２０をタップすることによって選択状態となっているアイコンＩ１に対応する処理を実行する操作を行うことができる。アイコンＩ１に対応する処理とは、例えば、アイコンＩ１として表示されているアプリケーションの表示について、当該アプリケーションを実行する処理であってもよい。
【００３２】
以上により、電子機器１では、予め設定された所定の操作方向における入力操作についての移動量が所定閾値以上であれば、表示部１０の表示領域１２上に入力操作が反映される。これにより、誤操作が発生する可能性を低減することができる。また、入力操作について、予め設定された所定の操作方向と対応付けて認識されるため、ユーザによる操作を簡易化することができ、入力操作についての移動量の算出を簡略化することができる。さらに、例えば、電子機器が大型のものである場合においても、ホーム画面の操作、ウェブブラウジング等の基本操作を片手で行うことができる。また、電子機器１では、従来の電子機器における下記の課題が解決される。
【００３３】
例えば、従来の電子機器の表示部に表示されたマウスポインタについて、ユーザが、電子機器の前面に設けられた指紋センサを用いて片手で当該マウスポインタを操作する場合、親指での操作が想定される。親指は他の指と比べて、押圧する部分の面積が大きく、マウスポインタのような自由度が高いものを、ユーザが親指より小さい指紋センサで操作する場合、精密な動作が求められる。
【００３４】
よって、マウスポインタを目的の位置まで移動させるまでに、親指が表示部内に侵入することがある。また、ユーザによる操作において微細な移動量を検出するため、目的の位置にマウスポインタを配置しても、ユーザが親指を離したときにその位置からマウスポインタがずれることがある。このように、従来の電子機器では、ユーザが意図しない動作を誘発することがある。
【００３５】
また、電子機器がスマートフォンである場合、マウスポインタは、ユーザが片手で操作しているときには電子機器の表示部上には存在しない要素である。このため、ユーザが動画、画像等を視聴する場合、マウスポインタは視覚的に不必要なものであると認識される可能性がある。
【００３６】
本発明の一態様に係る電子機器１は、従来の電子機器で課題となっていた、ユーザが意図しない動作の誘発の可能性を低減し、視覚的に不必要なマウスポインタを表示しなくてもユーザが電子機器１を操作することができる。
【００３７】
〔実施形態２〕
本発明の他の実施形態について、図４〜図６を用いて説明する。なお、説明の便宜上、上記実施形態にて説明した部材と同じ機能を有する部材については、同じ符号を付記し、その説明を繰り返さない。図４は、本発明の実施形態２に係る電子機器１Ａの構成を示すブロック図である。図５は、図４に示す電子機器１Ａが備える表示部１０の表示の一例を示す模式図である。図６は、図４に示す電子機器１Ａの処理の流れを示すフローチャートである。
【００３８】
（電子機器１Ａの構成）
電子機器１Ａは、図４に示すように、制御部４０が制御部４０Ａに変更されている点が異なる。制御部４０Ａは、制御部４０と比べて、モード切替部４６０を備えている点が異なる。モード切替部４６０は、接触センサ２０に対して特定の入力操作が行われることにより、禁止モードから操作モードに移行する処理を行う。
【００３９】
禁止モードは、反映処理部４４０による反映処理を禁止するモードであり、操作モードは、反映処理部４４０による反映処理を許容するモードである。特定の入力操作は、例えば、図５に示すように、接触センサ２０に対しての下方向の入力操作であってもよいが、接触センサ２０に対しての入力操作であれば特に限定されない。また、モード切替部４６０は、表示部１０の表示領域１２がユーザによってタップされると、操作モードから禁止モードに移行する処理を行う。
【００４０】
（電子機器１Ａの処理の流れ）
電子機器１Ａの処理の流れ、つまり、電子機器１Ａを制御する電子機器１Ａの制御方法について、図６を用いて説明する。なお、Ｓ２０の処理の前の電子機器１Ａの状態は、上記禁止モードの状態とする。図６に示すように、まず、Ｓ２０の処理が行われる。Ｓ２０の処理は、電子機器１のＳ１０の処理と同一である。Ｓ２０の処理の後、電子機器１は、接触センサ２０に対する入力操作について、下方向の操作方向と対応付けて認識したか否かを判断する（Ｓ２１）。
【００４１】
具体的には、認識処理部４１０は、接触センサ２０によって検知された入力操作の情報を記憶部３０から参照する。認識処理部４１０は、記憶部３０に予め記憶された複数の操作方向のうち、接触センサ２０に対する入力操作の方向に最も近い操作方向を選択する。このとき、認識処理部４１０が、接触センサ２０に対する入力操作の方向に最も近い操作方向として下方向の操作方向を選択すれば、電子機器１は、接触センサ２０に対する入力操作について、下方向の操作方向と対応付けて認識したものと判断する。
【００４２】
認識処理部４１０は、選択した操作方向の情報を記憶部３０に記憶する。電子機器１が、接触センサ２０に対する入力操作について、下方向の操作方向と対応付けて認識したものと判断した場合（Ｓ２１にてＹＥＳの場合）、移動量算出部４２０は、接触センサ２０によって検知された入力操作の情報、及び認識処理部４１０によって対応付けられた操作方向の情報を記憶部３０から参照する。
【００４３】
これにより、移動量算出部４２０は、認識処理部４１０によって対応付けられた操作方向における入力操作についての移動量を算出する算出処理を行う。移動量算出部４２０は、算出した移動量の情報を記憶部３０に記憶する。この後、Ｓ２２の処理が行われる。Ｓ２２の処理は、電子機器１のＳ１２の処理と同一である。
【００４４】
Ｓ２２の処理の結果、移動量算出部４２０によって算出された移動量が所定閾値以上である場合（Ｓ２２にてＹＥＳの場合）、モード切替部４６０は、禁止モードから操作モードに移行する処理を行う（Ｓ２３）。禁止モードから操作モードに移行されると、反映処理部４４０は、表示部１０の表示領域１２に表示された複数のアイコンＩ１のうち最も左上のアイコンＩ１を選択状態にする（Ｓ２４）。Ｓ２４の処理の後、Ｓ２５〜Ｓ３０の処理が行われる。Ｓ２５〜Ｓ３０の処理は、電子機器１のＳ１０〜Ｓ１５の処理と同一である。
【００４５】
このように、禁止モードから操作モードに移行する処理が行われる。この構成において、ユーザが接触センサ２０に対して特定の入力操作を行う。これにより、表示部１０の表示領域１２上に入力操作が反映されない状態から、表示部１０の表示領域１２上に入力操作が反映される状態に移行することができる。よって、ユーザは、接触センサ２０に対する入力操作によって表示部１０の表示領域１２上で操作を行うことができるようになる。
【００４６】
〔ソフトウェアによる実現例〕
電子機器１・１Ａの制御ブロック（特に制御部４０・４０Ａ）は、集積回路（ＩＣチップ）等に形成された論理回路（ハードウェア）によって実現してもよいし、ソフトウェアによって実現してもよい。
【００４７】
後者の場合、電子機器１・１Ａは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４８】
〔まとめ〕
本発明の態様１に係る電子機器は、画像を表示する少なくとも１つの表示部と、少なくとも１つの制御部と、上記表示部の近傍に設けられ、ユーザによる入力操作を検知する少なくとも１つの接触センサと、を備える電子機器であって、上記制御部は、上記接触センサに対する上記入力操作について、予め設定された所定の操作方向と対応付けて認識する認識処理と、上記操作方向における上記入力操作についての移動量が所定閾値以上であるか否かを判定する判定処理と、上記移動量が上記所定閾値以上であれば、上記表示部の表示領域上に上記入力操作を反映する反映処理と、を行う構成である。
【００４９】
本発明の態様２に係る電子機器は、上記の態様１において、上記制御部は、上記接触センサに対して特定の入力操作が行われることにより、上記反映処理を禁止する禁止モードから上記反映処理を許容する操作モードに移行する構成としてもよい。
【００５０】
本発明の態様３に係る電子機器は、上記の態様１または２において、上記制御部は、上記接触センサに対する入力操作について上記所定の操作方向と対応付けて認識することにより、上記操作方向に基づいて上記表示領域に表示される複数の選択可能データについて選択状態となる対象を変更する処理を上記反映処理として行う構成としてもよい。
【００５１】
本発明の態様４に係る電子機器は、上記の態様１から３のいずれかにおいて、上記制御部は、上記接触センサがタップされた場合に、上記表示領域に表示される複数の選択可能データのうち選択状態となっている選択可能データに対応する処理を実行する実行処理をさらに行う構成としてもよい。
【００５２】
本発明の態様５に係る電子機器は、上記の態様１から４のいずれかにおいて、上記接触センサは、指の指紋を検知する指紋センサである構成としてもよい。
【００５３】
本発明の様態６に係る制御装置は、画像を表示する少なくとも１つの表示部と、上記表示部の近傍に設けられ、ユーザによる入力操作を検知する少なくとも１つの接触センサと、を備える電子機器を制御する制御装置であって、上記接触センサに対する上記入力操作について、予め設定された所定の操作方向と対応付けて認識する認識処理部と、上記操作方向における上記入力操作についての移動量が所定閾値以上であるか否かを判定する判定処理部と、上記移動量が上記所定閾値以上であれば、上記表示部の表示領域上に上記入力操作を反映する反映処理部と、を備える構成である。
【００５４】
本発明の様態７に係る制御方法は、画像を表示する少なくとも１つの表示部と、少なくとも１つの制御部と、上記表示部の近傍に設けられ、ユーザによる入力操作を検知する少なくとも１つの接触センサと、を備える電子機器を制御する電子機器の制御方法であって、上記接触センサに対する上記入力操作について、予め設定された所定の操作方向と対応付けて認識する認識工程と、上記操作方向における上記入力操作についての移動量が所定閾値以上であるか否かを判定する判定工程と、上記移動量が上記所定閾値以上であれば、上記表示部の表示領域上に上記入力操作を反映する反映工程と、を含む構成である。
【００５５】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、及びそれを記録したコンピュータ読み取り可能な記録媒体も、本発明の範疇に入る。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５７】
１・１Ａ  電子機器
１０  表示部
１２  表示領域
２０  接触センサ
４０・４０Ａ  制御部
４１０  認識処理部
４３０  判定処理部
４４０  反映処理部
Ｉ１  アイコン（選択可能データ）
【図１】
2020086603.tif 000003
【図２】
2020086603.tif 000004
【図３】
2020086603.tif 000005
【図４】
2020086603.tif 000006
【図５】
2020086603.tif 000007
【図６】
2020086603.tif 000008